(57)【要約】【課題】  電力系統データの変更に伴う電力系統管理図面の再生成時に、電力系統データの更新前に入力した追記情報を引き継いで電力系統管理図面を再生成する電力系統図面管理システム及び追記情報を引き継いだ電力系統管理図面の再生成方法を提供する。【解決手段】  電力系統制御システムで保存・管理している電力系統データをもとに図面データを生成して第２データベースに保存する工程と、図面データをもとにオペレータが入力した追記情報を第３データベースに保存する工程と、第２データベースの図面データと第３データベースの追記情報とを合成する工程とから電力系統管理図面を生成し、さらに電力系統データの更新に伴って、更新された電力系統データをもとに図面データを生成して第２データベースに保存する工程と、第２データベースの図面データと、データ更新前に第３データベースに入力した追記情報とを合成する工程とから電力系統図面を再生成する。【選択図】        図２
2006121824.tif 000002
【特許請求の範囲】
【請求項１】
電力系統データを保存・管理する電力系統制御システム（１０）と、前記電力系統データに基づいて電力系統管理図面を生成する図面編集装置（２０）とから構成され、
前記電力系統制御システム（１０）は、電力系統データを保存する第１データベース（１）を備え、
前記図面編集装置（２０）は、電力系統データをもとに生成した図面データを保存する第２データベース（２）と、オペレータが入力装置（２２）から入力した追記情報を保存する第３データベース（３）とを備えた電力系統管理システムであって、
図面編集装置（２０）は、電力系統データをもとに生成された図面データと、入力装置（２２）から入力され保存された追記情報とを合成して電力系統管理図面を生成し、
さらに電力系統制御システムで電力系統データが更新された場合、更新された電力データをもとに生成された図面データと、更新前に入力され第３データベース（３）に保存されている追記情報とを合成して電力系統管理図面を再生成することを特徴とする電力系統図面管理システム。
【請求項２】
第３データベース（３）には、図面単位の追記情報と設備単位の追記情報とがそれぞれ保存され、
前記図面単位の追記情報は、図面用紙に対する位置情報からなる配置情報をもって保存され、
前記設備単位の追記情報は、対象設備に対する縮尺、方位および位置情報を含めた配置情報をもって第３データベース（３）に保存されていることを特徴とする請求項１に記載の電力系統図面管理システム。
【請求項３】
電力系統制御システムで保存・管理している電力系統データをもとに図面データを生成して第２データベース（２）に保存する工程と、
前記図面データをもとにオペレータが入力した追記情報を第３データベース（３）に保存する工程と、
前記第２データベース（２）の図面データと、第３データベース（３）の追記情報とを合成する工程とから電力系統管理図面を生成し、
さらに電力系統制御システム（１０）で保存・管理している電力系統データの更新に伴って、更新された電力系統データをもとに図面データを生成して第２データベース（２）に保存する工程と、
前記第２データベース（２）の図面データと、データ更新前に第３データベース（３）に入力した追記情報とを合成する工程とから電力系統図面を再生成することを特徴とする追記情報を引き継いだ電力系統管理図面の再生成方法。
【発明の詳細な説明】
【技術分野】
【０００１】
本発明は、電力系統制御システムのデータベースに保存・管理されている電力系統データをもとに図面編集装置で電力系統管理図面を生成する電力系統図面管理システムに関し、特に、電力系統データの変更に伴う電力系統管理図面の再生成時に、データ更新前に図面編集装置で入力した追記情報を引き継いで電力系統管理図面を再生成することができる電力系統図面管理システム及び追記情報を引き継いだ電力系統管理図面の再生成方法に関するものである。
【背景技術】
【０００２】
電力事業の電力系統図面管理システムにおいて、配電線や配電機器等の各種電力系統データを保存・管理する電力系統制御システムに図面編集装置を付設し、前記図面編集装置で電力系統データをもとに電力系統管理図面を生成する電力系統図面管理システムが知られている。（例えば、特許文献１を参照）
図面編集装置では、電力系統制御システムで保存・管理している配電線や配電機器等の電力系統データをもとに生成された図面データと、オペレータが入力した図面に必要な情報とに基づいて電力系統管理図面が生成される。
すなわち図面編集装置において、電力系統データをもとに生成された図面（図面データ）に、電力系統制御システムでは管理されていない電力系統管理図面に固有の情報（以下、「追記情報」という）を追加記載（以下、「追記」という）することによって、電力系統管理図面を生成する。
【０００３】
電力系統制御システムで保存・管理している電力系統データをもとに電力系統管理図面を生成する電力系統図面管理システムは、図１に示すように、ネットワークを介して電力系統制御システム１０に図面編集装置２０が接続されている。
なお電力系統制御システム１０には、電力系統データを表示するための第１表示装置１１が接続されている。また図面編集装置２０には、電力系統データをもとに生成された図面データに追記情報を入力するための入力装置２２と、電力系統データをもとに生成した図面データや、前記図面データに情報を追記した電力系統管理図面を表示するための第２表示装置２１が接続されている。
また図１に示す電力系統管理システムでは、図面編集装置２０で生成した電力系統管理図面を印刷するための印刷装置３０がネットワークを介して接続されている。
【０００４】
従来の電力系統管理図面の再生成方法について図６を参照して説明する。
従来技術によれば、まず図６（ａ）に示すように、電力系統制御システム１０の第１データベース１０１に保存されている電力系統データをもとに、図面編集装置２０で図面データを生成し、当該図面データを第２データベース１０２に保存する。このとき電力系統システム１０の第１表示装置１１は、第１データベース１０１に保存・管理されている電力系統データを表示し、図面編集装置２０の第２表示装置２１は、第２データベース１０２に保存されている図面データを表示する。
そして図６（ｂ）に示すように、第２表示装置２１に表示された図面データをもとに、オペレータが入力装置２２から追記情報を入力し、図面編集装置２０の第２データベース１０２に保存されている図面データに情報を追記することによって電力系統管理図面を生成する。
なお図面編集装置２０で生成した電力系統管理図面は、第２表示装置２１に表示されるとともに、ネットワークを介して接続した印刷装置３０で印刷される。
続いて、図６（ｃ）に示すように、電力系統制御システム１０の第１データベース１０１で保存している電力系統データが変更（更新）された場合、図６（ｄ）に示すように、更新された電力系統データをもとに図面編集装置２０では新たに図面データが生成され、第２データベース１０２に保存される。
電力系統制御システム１０で保存・管理している電力系統データは、図面編集装置２０において制御ブロック毎に図面データ化（図面化）されるが、電力系統データの更新（変更）により制御ブロックの構成が変更されると、それに伴って図面データの構成が変更される。そのため電力系統データの更新前に、図面編集装置２０において図面データに情報を追記しても、電力系統データの更新（変更）によって図面データ自体が変更されてしまうため、データ更新前にオペレータが入力した追記情報を引き継ぐことができない。
従って、電力系統制御システムの電力データの更新に伴って図面編集装置２０で電力系統管理図面を再生する場合、図６（ｅ）に示すように、第２表示装置２１に表示された図面データ（更新された図面データ）をもとにオペレータが入力装置２２から追記情報を再び入力していた。
【特許文献１】特開２００３−１８００３３
【発明の開示】
【発明が解決しようとする課題】
【０００５】
すなわち従来は、電力系統制御システムに保存・管理されている電力系統データの更新に伴って図面データは生成されるものの、更新前に入力した追記情報を引き継いで、電力系統管理図面を再生成することができなかった。また図面データに追記される追記情報は図面毎に縮尺や方位などの配置条件が異なるため、更新された電力系統データをもとに電力系統管理図面を生成する場合、データ更新前にオペレータが追記した情報をそのまま引き継いで、電力系統管理図面に対応させることができなかった。
そのため従来の電力系統管理図面の再生成方法では、電力系統制御システムで電力系統データを更新する度に、図面編集装置において、更新された電力系統データをもとに生成された図面データにオペレータが必要な情報を毎回追記しなければならなかった。またオペレータによる追記完了までは、最新の電力系統データに基づく電力系統管理図面を運用することができず、最新の電力系統状態を反映した図面を即座に得ることができなかった。また、電力系統データの更新の度に、オペレータが追記情報を入力しなければならないため、追記情報の転記誤りや、転記漏れなどのおそれがあった。
【０００６】
そこで本発明は、電力系統制御システムで電力系統データが更新される度に、オペレータが図面データに追記情報を入力する必要がない電力系統図面管理システムを確立し、オペレータの再追記の手間をなくして、図面に必要な情報が正しく追記された最新の電力系統管理図面を迅速かつ容易に得る事ができる電力系統管理図面の再生成方法を提供することを目的とする。
【課題を解決するための手段】
【０００７】
本発明による電力系統図面管理システムは、電力系統データを保存・管理する電力系統制御システムと、前記電力系統データに基づいて電力系統管理図面を生成する図面編集装置とから構成され、前記電力系統制御システムは、電力系統データを保存する第１データベースを備え、前記図面編集装置は、電力系統データをもとに生成した図面データを保存する第２データベースと、オペレータが入力装置から入力した追記情報を保存する第３データベースとを備えた電力系統管理システムであって、図面編集装置は、電力系統データをもとに生成された図面データと、入力装置から入力され保存された追記情報とを合成して電力系統管理図面を生成し、さらに電力系統制御システムで電力系統データが更新された場合、更新された電力データをもとに生成された図面データと、更新前に入力され第３データベースに保存されている追記情報とを合成して電力系統管理図面を再生成するものである。
【０００８】
また本発明による追記情報を引き継いだ電力系統管理図面の再生成方法は、電力系統制御システムで保存・管理している電力系統データをもとに図面データを生成して第２データベースに保存する工程と、前記図面データをもとにオペレータが入力した追記情報を第３データベースに保存する工程と、前記第２データベースの図面データと第３データベースの追記情報とを合成する工程とから電力系統管理図面を生成し、さらに電力系統制御システムで保存・管理している電力系統データの更新に伴って、更新された電力系統データをもとに図面データを生成して第２データベースに保存する工程と、前記第２データベースの図面データと、データ更新前に第３データベースに入力した追記情報とを合成する工程とから電力系統図面を再生成する。
【発明の効果】
【０００９】
本発明による電力系統図面管理システム及び追記情報を引き継いだ電力系統管理図面の再生成方法について図１から図５を参照して説明する。
【発明を実施するための最良の形態】
【００１０】
この発明による電力系統管理システムは、図１に示すように、配電線や配電機器等の各種電力系統データを保存・管理する電力系統制御システム１０と、前記電力系統データをもとに図面データを生成するとともに、当該図面データに追記情報を入力して電力系統管理図面を生成する図面編集装置２０とから構成され、前記電力系統管理システム１０と図面編集装置２０とがネットワークを介して接続されている。
なお電力系統制御システム１０には、電力系統データを表示するための第１表示装置１１が接続されている。また図面編集装置２０には、電力系統データをもとに生成された図面データに追記情報を入力するための入力装置２２と、電力系統データをもとに生成した図面データや、前記図面データを追記して生成した電力系統管理図面を表示するための第２表示装置２１とが接続されている。
また図１に示す電力系統管理システムでは、図面編集装置２０で生成された電力系統管理図面を印刷するための印刷装置３０がネットワークを介して接続されている。
【００１１】
さらに図２に示すように、電力系統制御システム１０は、電力系統データを保存・管理する第１データベース１を備えるとともに、図面編集装置２０は、前記電力系統データをもとに生成した図面データを保存する第２データベース２と、オペレータが入力した追記情報を保存する第３データベース３とを備える。
そして図面編集装置２０は、前記第２データベース２に保存されている図面データと、第３データベース３に保存されている追記情報とを合成することによって電力系統管理図面を生成する。
従って、電力系統制御システム１０の第１データベース１に保存されている電力系統データが変更（更新）されても、図面編集装置２０では、更新された電力系統データをもとに生成され第２データベース２に保存された図面データと、第３データベース３に保存された追記情報とに基づいて電力系統管理図面が再生成されるため、電力系統データの更新前にオペレータが入力した追記情報を引き継いで、電力系統管理図面を再生成することができる。
【００１２】
次に、図２を参照してこの発明による追記情報を引き継いだ電力系統管理図面の再生成方法について説明する。
【００１３】
この発明によれば、電力系統制御システムで保存・管理している電力系統データをもとに図面データを生成して第２データベース２に保存する工程と、前記図面データをもとにオペレータが入力した追記情報を第３データベース３に保存する工程と、前記第２データベース２の図面データと第３データベース３の追記情報とを合成する工程とから電力系統管理図面を生成する。
また、電力系統制御システム１０で保存・管理している電力系統データの更新に伴って、更新された電力系統データをもとに図面データを生成して第２データベース２に保存する工程と、前記第２データベース２の図面データ（更新された図面データ）と、データ更新前に第３データベース３に入力した追記情報とを合成する工程とから電力系統図面を再生成する。
【００１４】
図２に示す電力系統管理図面の再生成方法の実施例では、まず図２（ａ）に示すように、電力系統制御システム１０の第１データベース１に保存・管理されている電力系統データをもとに、図面編集装置２０において図面データを生成し、第２データベース２に保存する。このとき電力系統システム１０の第１表示装置１１は第１データベース１に保存・管理されている電力系統データを表示し、図面編集装置２０の第２表示装置２１は第２データベース２に保存されている図面データを表示する。
【００１５】
そして図２（ｂ）に示すように、第２表示装置２１に表示された図面データをもとに、オペレータが入力装置２２から追記情報を入力し、図面データに情報を追記して電力系統管理図面を生成する。
図２（ｂ）に示す実施例では、オペレータが入力装置から入力した追記情報が、図面編集装置２０の第３データベース３に保存され、当該第３データベース３に保存されている追記情報と、第２データベース２に保存されている図面データとに基づいて電力系統管理図面が生成される。つまり第２データベース２の図面データと、第３データベース３の追記情報とを合成して電力管理図面を生成する。
なお図面編集装置２０で生成した電力系統管理図面は、第２表示装置２１に表示されるとともに、ネットワークを介して接続された印刷装置３０で印刷される。
【００１６】
そして図２（ｃ）に示すように、電力系統制御システム１０の第１データベース１で保存している電力系統データを変更（更新）した場合、図面編集装置２０では、図２（ｄ）に示すように、更新された電力データをもとに新たに図面データ（更新された図面データ）を生成する。
電力系統制御システム１０で保存・管理している電力系統データは制御ブロック毎に図面データ化（図面化）される。そして電力系統データの更新（変更）により制御ブロックの構成が変更され、それに伴って第２データベース２に保存されている図面データが変更される。
【００１７】
そしてこの発明による追記情報を引き継いだ電力系統管理図面の再生成方法によれば、図２（ｅ）に示すように、図面編集装置２０において、更新された電力系統データをもとに生成され第２データベース２に保存されている図面データ（更新された図面データ）と、データ更新前に入力装置２２から入力され第３データベース３に保存されている追記情報とに基づいて電力系統管理図面が再生成される。つまり第２データベース２において更新された図面データと、第３データベース３に保存されている追記情報とを合成して、電力系統管理図面を再生成する。
【００１８】
この発明によれば、電力系統データの更新前にオペレータが入力した追記情報が図面編集装置２０の第３データベース３に保存されているため（図２（ｂ）を参照）、当該第３データベース３に保存されている追記情報と、更新された図面データとに基づいて電力系統管理図面を再生成することができる。
つまり、電力系統データの更新前にオペレータが入力した追記情報を自動的に引き継いで電力系統管理図面を再生成することができる。
【００１９】
なお、電力系統データの更新前にオペレータが入力した追記情報を引き継いで電力系統管理図面を再生成するにあたって、更新された図面データに引き継いで記入される追記情報（一次追記情報）の他に、さらにオペレータが入力装置２２から新たに追記情報（二次追記情報）を入力し、更新された図面データに対して、データ更新前の追加情報を引き継いだ一次追記情報と、新たに入力された二次追加情報とを追記して電力系統管理図面を再生成することができる。
新たに入力された追記情報（二次追記情報）も、先に入力した追記情報（一次追記情報）と同様に第３データベース３に保存される（図２（ｂ）を参照）。
そして、電力系統制御システム１０において電力系統データが再度更新されたときは（図２（ｃ）を参照）、当該更新された電力系統データをもとに図面データを生成し（図２（ｄ）を参照）、この再度更新された電力系統データをもとに生成した図面データに対して、前記一次追記情報と二次追記情報とを自動的に引き継いで電力系統管理図面を再生成することができる（図２（ｅ）を参照）。
【００２０】
なお第３データベース３には、「図面単位の追記情報」と「設備単位の追記情報」とがそれぞれ保存されている。
つまり、オペレータが入力装置２２から追記情報を入力し、図面データに情報を追記して電力系統管理図面を生成する際（図２（ｂ）を参照）、「図面単位の追記情報」と「設備単位の追記情報」とをそれぞれ区別して、第３データベース３に保存する。
【００２１】
「図面単位の追記情報」とは、図面に対する固有の情報を記したものであり、図面毎に保存・管理・合成される情報である。
当該追記情報は、オペレータが入力装置２２から入力したときに、図面用紙に対する位置情報からなる配置情報をもって第３データベース３に保存され、電力系統データをもとに生成された図面データ上の当該情報を追記した場所に前記追記情報が合成表示される（電力系統管理図面の生成）。
そして電力系統データの更新に伴って図面データが更新され、電力系統管理図面（図面データ）の方位・縮尺等が変更されても、第３データベース３に保存されている追記情報（図面単位の追記情報）は、図面用紙に対する表示位置を変えることなく図面データ上に合成（追記）され、電力系統管理図面が再生成される。
つまり、第３データベース３に保存された「図面単位の追記情報」は、電力系統データの更新に伴って図面データを更新したときに、当該図面データ上に図面用紙に追随して合成される。
【００２２】
一方、「設備単位の追記情報」とは、設備に対する固有の情報を記したものであり、追記した設備毎（対象設備毎）に保存・管理・合成される情報である。
当該追記情報は、オペレータが入力装置２２から入力したときに、対象設備に対する縮尺、方位および位置情報を含めた配置情報をもって第３データベース３に保存され、電力系統データをもとに生成された図面データ上の当該情報を追記した場所に前記追記情報が合成表示される（電力系統管理図面の生成）。
そして電力系統データの更新に伴って図面データが更新され、電力系統管理図面（図面データ）の方位・縮尺等が変更されても（つまり対象設備の図面用紙上の位置が変更しても）、対象設備に追随して前記追記情報の表示場所が移動して、常に図面データ上の対象設備から離れずに合成（追記）され、電力系統管理図面が再生成される。また電力系統データの変更によって制御ブロックの構成が変更され、対象設備が異なる図面（図面データ）に移行しても、設備単位の追記情報は対象設備に追随して移行し、電力系統管理図面が再生成される。
つまり、第３データベース３に保存された「設備単位の追記情報」は、電力系統データの更新に伴って図面データを更新したときに、当該図面データ上に対象設備に追随して合成される。
【００２３】
図３は、「図面単位の追記情報」を用いた電力系統管理図面の再生成方法の実施例を説明する図である。
図３（ａ）に示すように、電力系統制御システムで保存・管理している電力系統データをもとに図面データ（図面Ａ）を生成した後、図３（ｂ）に示すように、オペレータが前記図面データ（図面Ａ）をもとに追記情報を入力して電力系統管理図面（図面Ａ´）を生成する。図３（ｂ）では、オペレータが入力した追記情報（図面情報Ｚ）を、図面単位の追記情報として第３データベース３に保存した。
そして、電力系統制御システム１０で保存・管理している電力系統データの更新（変更）に伴って、更新した電力系統データをもとに生成した図面データ（更新された図面データ）と前記第３データベース３に保存されている追記情報（図面情報Ｚ）とを合成して電力系統管理図面を再生成した場合、図３（ｃ）に示すように、図面情報Ｚは図面用紙に対する表示位置を変えることなく、更新された図面データ（図面Ａ´´）に追記される。
すなわち、第３データベース３に保存されている追記情報（図面情報Ｚ）によって、更新された電力系統データをもとに生成した図面データ（図面Ａ´´）に、電力系統データの更新前に入力した追記情報を引き継いで追記することができ、電力系統管理図面の再生成を自動化することができる。
【００２４】
図４は、「設備単位の追記情報」を用いた電力系統管理図面の再生成方法の実施例を説明する図である。
図４（ａ）に示すように、電力系統制御システムで保存・管理している電力系統データをもとに図面データ（図面Ａ）を生成した後、図４（ｂ）に示すように、オペレータが前記図面データ（図面Ａ）をもとに追記情報を入力して電力系統管理図面（図面Ａ´）を生成する。図４（ｂ）では、オペレータが入力した追記情報（設備情報Ｚ）を、設備単位の追記情報として第３データベース３に保存した。
この設備情報Ｚは、対象設備（設備Ｓ）に対する縮尺、方位および位置を含めた配置情報をもって第３データベース３に保存され、設備Ｓに追随して表示される。
そして、電力系統制御システム１０で保存・管理している電力系統データの更新（変更）に伴って、更新した電力系統データをもとに生成した図面データ（更新された図面データ）と前記第３データベース３に保存されている追記情報（設備情報Ｚ）とを合成して電力系統管理図面を再生成した場合、図４（ｃ）に示すように、設備情報Ｚは設備Ｓに追随して、更新された図面データ（図面Ａ´´）に追記される。
すなわち、第３データベース３に保存されている追記情報（設備情報Ｚ）によって、更新された電力系統データをもとに生成した図面データ（図面Ａ´´）に、電力系統データの更新前に入力した追記情報を引き継いで追記することができ、電力系統管理図面の再生成を自動化することができる。
【００２５】
図５は、「設備単位の追記情報」を用いた電力系統管理図面の再生成方法のその他の実施例を説明する図である。
図５（ａ）に示すように、電力系統制御システムに管理・保存されている電力系統データから２つの図面データ（図面Ａと、その隣の図面Ｂ）が生成される場合において、図５（ｂ）に示すように、図面Ａにある設備Ｓを対象設備としてオペレータが設備単位の追記情報（設備情報Ｚ）を入力することによって、電力系統データをもとに生成された図面データ（図面Ａ）に設備情報Ｚが追記された電力系統管理図面（図面Ａ´）を生成することができる。
なお前記設備情報Ｚは、対象設備（設備Ｓ）に対する縮尺、方位および位置を含めた配置情報をもって第３データベース３に保存され、設備Ｓに追随して表示される。
そして図５（ｃ）に示すように、電力系統制御システムにおいて電力系統データが更新され、制御ブロックの構成が変更されることによって、制御ブロック毎に図面化される図面データの構成が変更され（図面Ａと図面Ｂの範囲が変更し）、更新前に図面Ａに含まれていた設備Ｓがその範囲から外れた場合であっても、図５（ｂ）において、データ更新前の図面データ（図面Ａ）に入力した設備情報Ｚ（設備Ｓを対象設備として入力した追記情報）は、設備Ｓに追随するように第３データベース３に保存されているため、電力系統データの更新によって設備Ｓを含むことになった図面データ（図面Ｂ´）に、設備Ｓに追随した設備情報Ｚが追記される。
すなわち、第３データベース３に保存されている追記情報（設備情報Ｚ）によって、更新された電力系統データをもとに生成した図面データ（図面Ｂ´）に、電力系統データの更新前に入力した追記情報（図面Ａに含まれていた設備Ｓに追記した設備情報Ｚ）を引き継いで追記することができ、電力系統管理図面の再生成を自動化することができる。
【図面の簡単な説明】
【００２６】
【図１】電力系統図面管理システムを示す図である。
【図２】この発明による追記情報を引き継いだ電力系統管理図面の再生成方法を説明する図である。
【図３】「図面単位の追記情報」を用いた電力系統管理図面の再生成方法の実施例を説明する図である。
【図４】「設備単位の追記情報」を用いた電力系統管理図面の再生成方法の実施例を説明する図である。
【図５】「設備単位の追記情報」を用いた電力系統管理図面の再生成方法のその他の実施例を説明図である。
【図６】従来技術による電力系統管理図面の再生成方法を説明する図である。
【符号の説明】
【００２７】
１    第１データベース
２    第２データベース
３    第３データベース
１０  電力系統制御システム
１１  第１表示装置
２０  図面編集装置
２１  第２表示装置
２２  入力装置
３０  印刷装置
【図１】
2006121824.tif 000003
【図２】
2006121824.tif 000004
【図３】
2006121824.tif 000005
【図４】
2006121824.tif 000006
【図５】
2006121824.tif 000007
【図６】
2006121824.tif 000008